(57)【要約】【課題】  原稿の画像を読み取る際に、原稿の特徴または種類に対応する読取条件を設定する。【解決手段】  画像読取装置309は、原稿を一枚ずつ搬送する搬送手段を有する。画像読取装置309の原稿種類判定部252は、搬送手段が搬送する原稿の特徴または種類を検知する。画像読取装置309の画像読取部251は、検知の結果に対応する読取条件により、搬送手段が搬送する原稿の画像を読み取る。【選択図】  図3
2013247649.tif 000002
【特許請求の範囲】
【請求項１】
原稿を一枚ずつ搬送する搬送手段と、
前記搬送される原稿の特徴を検知する検知手段と、
前記検知の結果に対応する読取条件により、前記搬送される原稿の画像を読み取る読取手段とを有することを特徴とする画像読取装置。
【請求項２】
さらに、前記原稿の特徴が検知された場合の前記読取条件に対応する第一の読取条件と、前記原稿の特徴が検知されなかった場合の前記読取条件に対応する、前記第一の読取条件と異なる第二の読取条件を前記読取手段に設定する設定手段を有することを特徴とする請求項1に記載された画像読取装置。
【請求項３】
原稿を一枚ずつ搬送する搬送手段と、
前記搬送される原稿の種類を検知する検知手段と、
前記検知の結果に対応する読取条件により、前記搬送される原稿の画像を読み取る読取手段とを有することを特徴とする画像読取装置。
【請求項４】
前記検知手段は、前記搬送される原稿の特徴を検知し、前記検知した特徴から前記原稿の種類を判定することを特徴とする請求項3に記載された画像読取装置。
【請求項５】
さらに、原稿の複数の種類それぞれに対応する複数の読取条件を前記読取手段に設定する設定手段を有することを特徴とする請求項3または請求項4に記載された画像読取装置。
【請求項６】
前記検知手段は透かし検知センサを有することを特徴とする請求項1から請求項5の何れか一項に記載された画像読取装置。
【請求項７】
前記検知手段は赤外線検知センサを有することを特徴とする請求項1から請求項5の何れか一項に記載された画像読取装置。
【請求項８】
前記検知手段は紫外線検知センサを有することを特徴とする請求項1から請求項5の何れか一項に記載された画像読取装置。
【請求項９】
前記検知手段は磁気センサを有することを特徴とする請求項1から請求項5の何れか一項に記載された画像読取装置。
【請求項１０】
さらに、前記読み取った原稿の画像を表す画像データを出力する出力手段を有することを特徴とする請求項1から請求項9の何れか一項に記載された画像読取装置。
【請求項１１】
原稿を一枚ずつ搬送する搬送手段を有する画像読取装置の制御方法であって、
検知手段が、前記搬送される原稿の特徴を検知し、
読取手段が、前記検知の結果に対応する読取条件により、前記搬送される原稿の画像を読み取ることを特徴とする制御方法。
【請求項１２】
原稿を一枚ずつ搬送する搬送手段を有する画像読取装置の制御方法であって、
検知手段が、前記搬送される原稿の特徴を検知し、前記検知した特徴から前記原稿の種類を判定し、
読取手段が、前記原稿の種類に対応する読取条件により、前記搬送される原稿の画像を読み取ることを特徴とする制御方法。
【請求項１３】
請求項10に記載された画像読取装置と、
前記画像読取装置の読取動作を制御し、前記画像読取装置が出力する画像データを入力するコンピュータとを有することを特徴とする画像読取システム。
【請求項１４】
請求項11または請求項12に記載された制御方法を画像読取装置に実行させるためのプログラム。
【発明の詳細な説明】
【技術分野】
【０００１】
本発明は、様々な種類の帳票や原稿の画像の読み取りに関する。
【背景技術】
【０００２】
画像読取装置によって帳票や原稿を読み取る場合、帳票や原稿の種類により最適な読取条件が異なる。そのため、複数種類の帳票や原稿を読み取る場合、ユーザは、帳票や原稿の種類を変更する都度、その種類に応じた読取条件を変更する必要があり、読取条件の変更に多大な時間や手間を必要とする。
【０００３】
このため、画像読取装置において、帳票や原稿の種類を変更する際の読取条件の変更を容易にすることが求められている。
【０００４】
原稿束から一枚ずつ原稿を搬送して読み取る画像読取装置において、原稿画像の読取時に原稿の書式を判別し、原稿束から読み取った同じ書式の画像を統合してレイアウト処理した画像を出力する技術が提案されている（例えば、特許文献1）。
【先行技術文献】
【特許文献】
【０００５】
【特許文献１】特開平10-051622号公報
【発明の概要】
【発明が解決しようとする課題】
【０００６】
本発明は、原稿の画像を読み取る際に、原稿の特徴または種類に対応する読取条件を設定することを目的とする。
【課題を解決するための手段】
【０００７】
本発明は、前記の目的を達成する一手段として、以下の構成を備える。
【０００８】
本発明にかかる画像読取装置は、原稿を一枚ずつ搬送する搬送手段と、前記搬送される原稿の特徴または種類を検知する検知手段と、前記検知の結果に対応する読取条件により、前記搬送される原稿の画像を読み取る読取手段とを有することを特徴とする。
【発明の効果】
【０００９】
本発明によれば、原稿の画像を読み取る際に、原稿の特徴または種類に対応する読取条件を設定することができ、原稿の種類を変更する際のユーザの操作性を改善することができる。
【図面の簡単な説明】
【００１０】
【図１】画像読取システムの構成例を示す図。
【図２】画像読取装置の構成例を示す断面図。
【図３】画像読取装置の内部構成例を示すブロック図。
【図４】ホストコンピュータの構成例を示すブロック図。
【図５】画像読取装置の読取動作を説明するフローチャート。
【図６】真贋検知センサの出力例を示す図。
【図７】真贋検知センサの出力例を示す図。
【図８】真贋検知センサの出力例を示す図。
【図９】真贋検知センサの出力例を示す図。
【発明を実施するための形態】
【００１１】
以下、本発明にかかる実施例の画像読取装置および当該装置を含む画像読取システムを図面を参照して詳細に説明する。
【００１２】
［システムの構成］
図1は画像読取システムの構成例を示す図である。
【００１３】
画像読取装置309は、USBなどのシリアルバスケーブルを介してホストコンピュータ306に接続されている。ホストコンピュータ306は、ユーザ指示を入力するためのキーボード302と、ユーザインタフェイス(UI)や画像を表示するためのディスプレイ304を備える。
【００１４】
ユーザは、読み取るべき帳票や原稿（以下、原稿）を画像読取装置309の原稿台にセットする。そして、UIを参照してキーボード302を操作して、画像読取装置309に原稿の画像（以下、原稿画像）を読み取らせ、UIの表示により読み取られた原稿画像を確認したり、原稿画像の画像データをホストコンピュータ306の記憶部などに格納したりする。
【００１５】
［画像読取装置の構成］
図2は画像読取装置309の構成例を示す断面図である。本体シャーシ11は、画像読取装置309の各部を支持する。
【００１６】
ユーザは、原稿15を原稿台16に載置し、操作パネル13またはホストコンピュータ306から原稿画像の読取開始を指示する。ユーザが操作パネル13の図示しない操作ボタンやタッチパネルなどを操作すると、操作パネル基板14は、ユーザ操作に基づく信号を制御基板12に送信する。この信号を受信した制御基板12は、次のように画像読取装置309を制御する。
【００１７】
まず、図示しないモータにより給紙ローラ17を回転させ、原稿15の搬送を開始する。給紙ローラ17により搬送された原稿15は、原稿抑制板18、分離パッド19によって一枚ずつ分離される。
【００１８】
原稿15は、搬送ローラ20aと補助ローラ20bの対により搬送され、真贋検知センサ21a、21bにより原稿の特徴が検知される。さらに、原稿15は搬送され、原稿通過検知センサ26、画像読取センサ22と原稿15を画像読取センサ22に密着させるためのプラテンローラ23の対を通過する。画像読取位置において、原稿15には発光ダイオード(LED)24の光が照射され、原稿15からの反射光は画像読取センサ22に入射する。
【００１９】
画像読取センサ22の上部に設置されたプラテンローラ23は、画像読取センサ22の読取幅（原稿の搬送方向に直交する方向の読取可能な全域）を覆うように画像読取センサ22に接する。また、画像読取センサ22に隣接する光源のLED24は、読取幅の全域に亘り原稿15を照明するように配置されている。
【００２０】
画像読取位置を通過した原稿15は、排紙ローラ25aと補助ローラ25bの対により画像読取装置309の外に排出される。排出部には、原稿15が確実に排出されたか否かを確認するための原稿排紙センサ27が配置されている。
【００２１】
銀行チェックや有価証券など（以下、有価証券）には、磁気インク文字認識(magnetic ink character recognition: MICR)用の文字の印刷、透かし、蛍光インクによる印刷などの特徴がある。画像読取装置309は、原稿15の種類を判定するために、真贋検知センサ21a、21bによって原稿15の特徴を検知する。
【００２２】
画像読取装置309は、原稿15から有価証券の特徴を検知した場合、ユーザが有価証券用に設定した読取条件または所定の第一の読取条件に従う記録紙サイズの読み取りを行う。また、原稿15から有価証券の特徴が検知されなかった場合、画像読取装置309は、ユーザが一般的な原稿用に設定した読取条件または所定の第二の読取条件に従う記録紙サイズ（例えばA4サイズ）の読み取りを行う。
【００２３】
図3は画像読取装置の内部構成例を示すブロック図である。
【００２４】
CPU250は、RAM253をワークメモリとして、ROM254に格納された制御プログラムを実行し、システムバス256を介して後述する構成や図示しないモータなどを制御する。ROM254は、画像読取装置309の動作を決定する制御プログラムや各種データを格納する。RAM253はCPU250のワークメモリとして機能するほか、原稿から読み取られた画像データなどの一時保存に利用される。
【００２５】
USBインタフェイス(I/F)255は、CPU250とホストコンピュータ308の通信に利用され、原稿から読み取った画像データはUSB I/F255を介してホストコンピュータ308に送信される。
【００２６】
画像読取部251は、LED24と画像読取センサ22を用いて原稿画像の画像データを読み取る読取処理を行う。原稿種類判定部252は、真贋検知センサ21a、21bを用いて原稿の特徴を検知し、原稿の種類を判定する判定処理を行う。
【００２７】
［ホストコンピュータの構成］
図4はホストコンピュータの構成例を示すブロック図である。
【００２８】
CPU301は、メモリ303のRAM領域をワークメモリとして、メモリ303のROM領域やハードディスクドライブ(HDD)305に格納されたOSや本実施例の画像読取システム用のプログラムを含む各種プログラムを実行する。CPU301は、画像読取システム用のプログラムを実行すると、画像読取用のUIをディスプレイ304に表示する。そして、キーボード302から入力されるユーザ指示に従い、USB I/F307を介して、画像読取に関するコマンドを画像読取装置309に送信する。
【００２９】
CPU301は、USB I/F307を介して画像読取装置309から画像データを受信すると、当該画像データをメモリ303のRAM領域に一時保存し、当該画像データが表す画像をUIに表示する。そして、ユーザの指示に従い、恒久的に保存する画像データをHDD305に格納する。
【００３０】
ユーザは、原稿画像の読取開始前に、UIを参照してキーボード302を操作し、原稿種類判定部252の判定結果に応じた読取条件を設定する。例えば、原稿種類判定部252が「原稿15は有価証券である」と判定（以下、「真」と判定）した場合は、例えば銀行チェックに適した7.1×15.8cmの記録紙サイズで原稿画像を読み取る「読取設定1」を設定する。また、原稿種類判定部252が「原稿15は有価証券ではない」と判定（以下、「偽」と判定）した場合は、例えば事務用のドキュメント（例えばA4記録紙）に適した21.0×29.7cmの記録紙サイズで原稿画像を読み取る「読取設定2」を設定する。
【００３１】
ユーザが設定した読取条件である「読取設定1」および「読取設定2」の設定情報は、原稿画像の読取開始前にホストコンピュータ306から画像読取装置309に転送され、画像読取装置309のRAM253に格納される。つまり、RAM253はスキャンサイズの記憶部として機能する。
【００３２】
なお、画像読取装置309が操作パネル13を備える場合、ユーザは、操作パネル13を操作して、原稿種類判定部252の判定結果に応じた読取設定を設定し、当該読取設定をRAM253に格納することもできる。
【００３３】
また、「読取設定1」や「読取設定2」などを含む原稿の種類に応じた複数の読取条件を、画像読取装置309の工場出荷時などにROM254に格納することができる。この場合、ユーザは、ROM254に格納された複数の読取条件に関するUIや操作パネル13の表示を参照し、キーボード302や操作パネル13を操作して、それら読取条件から所望する読取条件を設定（RAM253に格納）する。
【００３４】
また、画像読取装置309の起動時はROM254に格納された読取条件を初期設定とし、初期設定の読取条件以外の読取条件をユーザが設定した場合は、ユーザが設定した読取条件を優先的に用いるようにすることもできる。
【００３５】
［画像読取装置の動作］
図5は画像読取装置309の読取動作を説明するフローチャートである。図5に示す処理は、ホストコンピュータ306または操作パネル13から画像読取の開始指令を受信した画像読取装置309のCPU250が実行する処理である。
【００３６】
CPU250は、まず、図示しない原稿検知センサの出力により原稿台16に原稿15があるか否かを判定し(S101)、原稿15がない場合は処理を終了する。
【００３７】
原稿台16に原稿15がある場合、CPU250は、原稿15の搬送を開始する(S102)。つまり、給紙ローラ17、給送ローラ20a、プラテンローラ23、排紙ローラ25aを図2に示す矢印方向に回転させる。そして、原稿15を給紙ローラ17に押し付けるように原稿抑制板18を付勢して、分離パッド19と給紙ローラ17が当接する位置まで原稿15を搬送する。分離パッド19により原稿15は一枚ずつ分離され、給送ローラ20aと補助ローラ20bの対により搬送される。
【００３８】
次に、CPU250は、原稿種類判定部252を制御して、真贋検知センサ21a、21bにより原稿15の特徴を検知して、原稿15の種類（例えば有価証券か否か）を判定し(S103)、判定結果をRAM253に格納する(S104またはS105)。
【００３９】
CPU250は、原稿通過検知センサ26の検知結果に基づき、画像読取センサ22の読取位置に原稿15があるか否かを判定する(S106)。そして、原稿15が読取位置にあると判定すると(S106のYES)、画像読取部251を制御して、原稿15の画像を読み取る処理（主走査読取処理）を行わせる(S107)。また、原稿15が読取位置にないと判定すると(S106のNO)、処理をステップS108に進める。
【００４０】
CPU250は、原稿通過検知センサ26の検知結果に基づき、原稿15の後端が読取位置を通過したか否かを判定する(S108)。そして、原稿15の後端が読取位置を通過したと判定する(S108のYES)まで、ステップS106とS107の処理を繰り返す。
【００４１】
なお、画像読取部251は、画像読取センサ22が出力する画像情報にアナログ-ディジタル(A/D)変換などの画像処理を施し、画像処理によって得られた画像データをRAM253の原稿ごとに用意された領域に順次格納する。
【００４２】
次に、CPU250は、ステップS104またはS105でRAM253に格納した原稿15の種類の判定結果に従い処理を分岐する(S109)。判定結果が真（原稿15は有価証券）の場合、CPU250は「読取設定1」の読取条件に従い画像を切り出す(S111)。つまり、RAM253に格納した画像データが表す画像の主走査方向の中央を基準(0cm)として、左側に3.55cm(=7.1cm/2)、右側に3.55cmの幅7.1cmの画像を長さ15.8cm分切り出す。なお、主走査方向の中央は、画像読取センサ22の全幅が例えば23.61cmとすると11.805cm(=23.61cm/2)の位置である。
【００４３】
また、判定結果が偽（銀行チェック以外）を示す場合、CPU250は「読取設定2」の読取条件に従い画像を切り出す(S110)。つまり、RAM253に格納された画像データが表す画像の主走査方向の中央を基準(0cm)として、左側に10.5cm(=21.0cm/2)、右側に10.5cmの幅21.0cmの画像を長さ29.7cm分切り出す。
【００４４】
次に、CPU250は、RAM253に格納された切出処理後の画像データをホストコンピュータ306に送信する(S112)。読取位置を通過した原稿15は、排紙ローラ25aと補助ローラ25bの対により、画像読取装置309から図2に示す矢印aの方向に排出される。CPU250は、原稿15が排出されると、処理をステップS101に戻し、原稿台16の原稿15がなくなるまで、原稿15の給紙および原稿画像の読取処理を繰り返す。
【００４５】
上記では、原稿を中央寄せして読み取りを行う画像読取装置の例を説明した。原稿を左寄せまたは右寄せにして読み取りを行う画像読取装置の場合、判定結果が真の場合は画像の左端または右端を基準(0cm)として、幅7.1cm、長さ15.8cm（または、幅21.0cm、長さ29.7cm）の画像を切り出せばよい。また、画像の切り出しは、原稿の種類の判定結果と読み取った画像データ（切り出し前の画像データ）をホストコンピュータ306に送信し、ホストコンピュータ306やその他の外部機器で行ってもよい。
【００４６】
上記では、原稿の種類が有価証券（例えば銀行チェック）か否かを判定し、判定結果に応じて有価証券のサイズまたはA4サイズで原稿画像を読み取る例を説明した。しかし、本発明は、これら二種類の原稿に限定されるわけではなく、様々な帳票や原稿のサイズに対応することができる。勿論、同時に設定することができる読取条件も二つに限らず、三つ以上の読取条件を設定して、原稿の種類の判定結果に応じた読取条件によって画像の切出処理を行うことができる。
【００４７】
［原稿の種類の判定］
●透かしによる判定
図6は真贋検知センサ21a、21bの出力例を示す図であり、真贋検知センサ21a、21bが透かし検知センサの場合を示している。
【００４８】
真贋検知センサ21aは光を発し、真贋検知センサ21bは検知領域62において原稿15を透過する光を受光し、受光した光に対応する信号を出力する。原稿種類判定部252は、真贋検知センサ21bが出力する信号をA/D変換した値により、原稿15の透かしを検知する。つまり、真贋検知センサ21bの出力波形により原稿15の所定の透かし領域61に透かしが存在するか否かにより原稿15の種類を判定する。
【００４９】
●文字による判定
図7は真贋検知センサ21a、21bの出力例を示す図であり、真贋検知センサ21a、21bが赤外線検知センサの場合を示している。
【００５０】
真贋検知センサ21aは赤外線を発し、真贋検知センサ21bは検知領域72において原稿15から反射される赤外線を受光し、受光した赤外光に対応する信号を出力する。原稿種類判定部252は、真贋検知センサ21bが出力する信号をA/D変換した値により、原稿15に印刷された文字を検知する。つまり、真贋検知センサ21bの出力波形により原稿15の所定の印刷領域71に文字があるか否かにより原稿15の種類を判定する。
【００５１】
●地色による判定
図8は真贋検知センサ21a、21bの出力例を示す図であり、真贋検知センサ21a、21bが紫外線検知センサの場合を示している。
【００５２】
真贋検知センサ21aは紫外線を発し、真贋検知センサ21bは検知領域82において原稿15から反射される光を受光し、受光した光に対応する信号を出力する。原稿種類判定部252は、真贋検知センサ21bが出力する信号をA/D変換した値により、原稿15の地色を検知する。つまり、真贋検知センサ21bの出力波形により原稿15が地色を判定し、規定範囲の地色（例えば蛍光インクで印刷された下地）をもつ原稿15を例えば有価証券と判定する。
【００５３】
●磁気パターンによる判定
図9は真贋検知センサ21a、21bの出力例を示す図であり、真贋検知センサ21a、21bが磁気センサの場合を示している。
【００５４】
真贋検知センサ21bは検知領域92において磁気パターンを検知し、検知した磁気パターンに対応する信号を出力する。原稿種類判定部252は、真贋検知センサ21bが出力する信号をA/D変換した値により、原稿15の印刷領域91に磁気インクで印刷されたMICR用の文字を検知する。つまり、真贋検知センサ21bの出力波形により原稿15のMICR用の文字を判定し、E-13B文字やCMC-7文字による規定の文字数の文字から原稿の種類を判定する。
【００５５】
このように、原稿画像を読み取る際に、原稿の特徴または種類に対応する読取条件を自動的に設定することができ、原稿の種類を変更する際のユーザの操作性を改善することができる。
【００５６】
真贋検知センサ21a、21bは、透かしセンサ、赤外線検知センサ、紫外線検知センサ、磁気センサの少なくとも一つであればよい。また、それらセンサを真贋検知センサ21a、21bとして組み合わせて、様々な原稿の種類をより正確に判定することもできる。
【００５７】
［その他の実施例］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステムあるいは装置のコンピュータ（又はCPUやMPU等）がプログラムを読み出して実行する処理である。
【図１】
2013247649.tif 000003
【図２】
2013247649.tif 000004
【図３】
2013247649.tif 000005
【図４】
2013247649.tif 000006
【図５】
2013247649.tif 000007
【図６】
2013247649.tif 000008
【図７】
2013247649.tif 000009
【図８】
2013247649.tif 000010
【図９】
2013247649.tif 000011